(57)【特許請求の範囲】
【請求項１】
筐体と、
前記筐体に装着された誘虫灯と、
前記筐体の誘虫灯の近傍に形成された吸引口と、
前記筐体の内部に設けられた、前記吸引口に連通する通気路と、
前記通気路の前記筐体内の排出口を囲む減圧室と、
前記減圧室内の空気を吸引して前記筐体の外部に排気する吸引ファンと、
前記通気路の排出口に取付けられて前記減圧室内に配置された袋状の捕獲フィルタと、
前記通気路を通る虫を検出できるように、前記通気路の吸引口側に配置されたセンサとを備えていることを特徴とする捕虫器。
【請求項２】
前記吸引口は、前記誘虫灯の長さ方向に沿って伸びるスリット状をなしており、前記通気路は、スリット状をなした前記吸引口を囲むように形成されており、前記センサは、前記通気路の前記吸引口に隣接する部分の、前記吸引口の長さ方向両端部に配置された投光部及び受光部からなる光電センサで構成されている、請求項１記載の捕虫器。
【請求項３】
前記筐体の前面側には、前記筐体の最前部からやや引き込んだ位置に設けられた内側壁と、この内側壁の下縁部から最前部に突出する棚壁とで区画される凹所が設けられ、この凹所に前記誘虫灯が配置されており、前記吸引口は、前記内側壁に設けられた、１又は複数の第１開口と、前記棚壁に設けられた、１又は複数の第２開口とで構成されており、前記通気路は、前記第１開口に連通して、前記内側壁の背面側に配置された隔壁と前記内側壁との間に形成された第１通気路と、前記第２開口に連通して、前記棚壁の下方に形成された第２通気路とを含み、前記第１通気路及び前記第２通気路の出口が集合されて前記排出口をなし、前記センサは、前記第１通気路の前記第１開口に近接した部分と、前記第２通気路の前記第２開口に近接した部分との２箇所に設けられている、請求項１又は２記載の捕虫器。
【請求項４】
前記排出口の出口側周縁には、着脱可能な枠状部材が取付けられており、この枠状部材には、前記捕獲フィルタの開口縁部が着脱可能に装着できるようになっている、請求項１〜３のいずれか１つに記載の捕虫器。
【請求項５】
前記枠状部材には、前記捕獲フィルタが前記吸引ファンに貼り付くのを防止するための支持具が設けられている、請求項４記載の捕虫器。
【発明の詳細な説明】
【技術分野】
【０００１】
本発明は、例えば、工場等に設置されて虫を捕獲するための、捕虫器に関する。
【背景技術】
【０００２】
以前から、工場や倉庫、店舗等には、カナブンや蛾、蠅等の虫を捕獲するための捕虫器が設置されている。この種の捕虫器としては、例えば、誘虫灯及び電撃式の殺虫装置を有するものや、誘虫灯及び吸引装置を有するものがある。前者の捕虫器は、誘虫灯に誘引された虫を殺虫装置で電撃して駆除し、後者の捕虫器は、誘虫灯に誘引された虫を吸引装置で吸引して、捕獲ネット等で捕獲する。
【０００３】
後者の吸引型の捕虫器として、下記特許文献１には、筐体と、筐体前面に取り付けられた１または複数の誘虫灯と、筐体前面に開口されたスリット状の吸引口を有する捕虫導管とを備え、吸引口は誘虫灯に接近配置され、筐体は、捕虫導管に吸引力を作用させるための吸引手段を備えている捕獲部を有し、捕虫導管の吸引口とは反対側の端部には捕虫網が設けられており、捕虫網は捕獲部の中において、吸引手段によって生じる流路の途中に配置される、捕虫導管の吸引口とは反対側の端部近傍には、捕虫導管を通過する虫を検出する検出器が設けられた捕虫装置が記載されている。
【先行技術文献】
【特許文献】
【０００４】
【特許文献１】特許第５１９３９５９号公報
【発明の概要】
【発明が解決しようとする課題】
【０００５】
しかしながら、上記特許文献１の捕虫装置の場合、捕虫導管の吸引口とは反対側の端部近傍に、捕虫導管を通過する虫を検出する検出器が設けられているので、吸引口から捕虫導管に吸引されて検出器を通過した虫が、吸引口側へ少し戻ると、検出器によって再度検出されてしまうことになり、虫の捕獲数を正確にカウントすることができない可能性があった。
【０００６】
また、虫導管の吸引口とは反対側の端部近傍は、吸引された虫が集積しやすい部分となるため、吸引された虫が検出器に貼り付いてしまい、検出器の感度が低下して、虫の捕獲数の精度に支障が生じる可能性があった。
【０００７】
したがって、本発明の目的は、虫の再検出の可能性を低減することができると共に、センサの感度低下を防止できる、捕虫器を提供することにある。
【課題を解決するための手段】
【０００８】
上記目的を達成するため、本発明の捕虫器は、筐体と、前記筐体に装着された誘虫灯と、前記筐体の誘虫灯の近傍に形成された吸引口と、前記筐体の内部に設けられた、前記吸引口に連通する通気路と、前記通気路の前記筐体内の排出口を囲む減圧室と、前記減圧室内の空気を吸引して前記筐体の外部に排気する吸引ファンと、前記通気路の排出口に取付けられて前記減圧室内に配置された袋状の捕獲フィルタと、前記通気路を通る虫を検出できるように、前記通気路の吸引口側に配置されたセンサとを備えていることを特徴とする。
【０００９】
上記発明によれば、誘虫灯に近づいてくる虫が吸引口から吸引されて、通気路を通り、減圧室内に配置された捕獲フィルタに捕獲される。吸引口から通気路を通るとき、センサによって虫が検出され、どの程度の数の虫が通過したかを把握することができる。このため、捕獲フィルタの交換が必要かどうかを判断することができる。センサは、通気路の吸引口側に配置されているので、センサを通過した虫が再び戻ってきて、再度検出されてしまう可能性を低減することができる。また、センサの近傍に虫が溜まりにくいので、虫が貼り付いてセンサの感度が低下することを防ぐことができる。
【００１０】
本発明の捕虫器においては、前記吸引口は、前記誘虫灯の長さ方向に沿って伸びるスリット状をなしており、前記通気路は、スリット状をなした前記吸引口を囲むように形成されており、前記センサは、前記通気路の前記吸引口に隣接する部分の、前記吸引口の長さ方向両端部に配置された投光部及び受光部からなる光電センサで構成されていることが好ましい。
【００１１】
上記態様によれば、誘虫灯に近接した位置に、吸引口をできるだけ広い幅で配置することができると共に、吸引口から吸引された虫を吸引口のすぐ近くで検出できるので、センサを通過した虫が再び戻ってきて、再度検出されてしまう可能性を更に低減することができる。
【００１２】
本発明の捕虫器においては、前記筐体の前面側には、前記筐体の最前部からやや引き込んだ位置に設けられた内側壁と、この内側壁の下縁部から最前部に突出する棚壁とで区画される凹所が設けられ、この凹所に前記誘虫灯が配置されており、前記吸引口は、前記内側壁に設けられた、１又は複数の第１開口と、前記棚壁に設けられた、１又は複数の第２開口とで構成されており、前記通気路は、前記第１開口に連通して、前記内側壁の背面側に配置された隔壁と前記内側壁との間に形成された第１通気路と、前記第２開口に連通して、前記棚壁の下方に形成された第２通気路とを含み、前記第１通気路及び前記第２通気路の出口が集合されて前記排出口をなし、前記センサは、前記第１通気路の前記第１開口に近接した部分と、前記第２通気路の前記第２開口に近接した部分との２箇所に設けられていることが好ましい。
【００１３】
誘虫灯に近づいてくる虫は、誘虫灯の周りでそのまま飛行を続ける場合もあるし、誘虫灯の近くで失速して落下する場合もある。上記態様によれば、誘虫灯の周りでそのまま飛行を続ける虫は、凹所の内側壁に設けられた第１開口に近づくとそこから吸引されて捕捉され、誘虫灯の近くで失速して落下する虫は、凹所の棚壁に設けられた第２開口から吸引されて捕捉される。このため、誘虫灯に近づいてくる虫を効率良く捕捉することができる。また、第１通気路は、内側壁の背面側を通って排出口に至り、第２通気路は、棚壁の下方に抜けて排出口に至るので、通気抵抗を少なくして、両方の通気路を１箇所の排出口に集合させることができる。
【００１４】
本発明の捕虫器においては、前記排出口の出口側周縁には、着脱可能な枠状部材が取付けられており、この枠状部材には、前記捕獲フィルタの開口縁部が着脱可能に装着できるようになっていることが好ましい。
【００１５】
上記態様によれば、捕獲フィルタの交換の際に、捕虫器から、枠状部材毎、捕獲フィルタを取り外し、枠状部材に対して捕獲フィルタを交換し、次いで、枠状部材を排出口の出口周縁に取付けることができるので、捕獲フィルタの交換作業を捕虫器から離れた場所で行うことができ、作業性が良好となる。
【００１６】
本発明の捕虫器においては、前記枠状部材には、前記捕獲フィルタが前記吸引ファンに貼り付くのを防止するための支持具が設けられていることが好ましい。
【００１７】
上記態様によれば、捕虫器のコンパクト化のため、捕獲フィルタに近接して吸引ファンを配置されている場合でも、捕獲フィルタが吸引ファンに貼り付いて吸引力が低下するのを防止できる。
【発明の効果】
【００１８】
本発明によれば、通気路を通る虫を検出するセンサは、通気路の吸引口側に配置されているので、センサを通過した虫が再び戻ってきて、再度検出されてしまう可能性を低減することができると共に、センサの近傍に虫が溜まりにくいので、虫が貼り付いてセンサの感度が低下することを防ぐことができる。
【図面の簡単な説明】
【００１９】
【図１】本発明に係る捕虫器の、一実施形態を示す分解斜視図である。
【図２】同捕虫器の概略構成を示す説明図である。
【図３】同捕虫器の断面図である。
【図４】同捕虫器において、筐体の後壁を取外した状態の、背面斜視図である。
【図５】同捕虫器の要部拡大斜視図である。
【図６】同捕虫器の要部分解斜視図である。
【図７】同捕虫器において、捕獲フィルタの着脱構造を示す斜視図である。
【図８】同捕虫器の捕獲フィルタの拡大斜視図である。
【発明を実施するための形態】
【００２０】
以下、図１〜８を参照して、本発明に係る捕虫器の一実施形態について説明する。
【００２１】
図１〜４に示すように、この実施形態における捕虫器１０は、筐体２０と、該筐体２０に装着された複数の誘虫灯１５と、筐体２０の誘虫灯１５の近傍に形成された吸引口（ここでは第１開口３１，第２開口３２）と、該吸引口に連通する通気路（ここでは第１通気路５１，第２通気路５２）と、通気路の排出口５５（図３参照）を囲む減圧室３３と、減圧室３３内の空気を吸引して筐体外部に排気する吸引ファン３５と、虫を捕獲する袋状の捕獲フィルタ１７と、該通気路を通る虫１を検出するセンサ６０とを備えている。
【００２２】
なお、誘虫灯１５としては、蛍光管や水銀灯などを用いることができ、例えば蠅などの小型昆虫が好む周波数である３７０ｎｍ付近の波長の光を出射するものが好適に用いられる。また、この実施形態におけるセンサ６０は、光を投光する投光部６１と、投光部６１からの光Ｌを受光する受光部６３とからなる、周知の光電センサであるが（図２参照）、通気路を通る虫１を検出可能であれば、どのようなセンサでもよい。
【００２３】
前記筐体２０は、一対の側壁２１，２１と、それらの上端部どうしを連結する長板状の天井壁２２と、一対の側壁２１，２１の下端部どうしを連結する長板状の底壁２３（図３参照）と、これらの壁部の前面側に配置された前壁２４と、後面側（背面側）に配置された後壁２５とからなる、横方向に長い箱状をなしている。この筐体２０の前面側に、複数の窓部７１を設けた前カバー７０が、開閉可能に取付けられている（図１参照）。
【００２４】
また、筐体２０の前面側であって、その上半部には、前面側が開口した凹所２６が設けられている。この凹所２６は、筐体２０の最前部２４ａからやや引き込んだ位置に垂設された内側壁２７と、この内側壁２７の下縁部から、前記最前部２４ａに向けて水平方向に突出する棚壁２８とで区画されている。そして、この凹所２６に複数の誘虫灯１５が、筐体２０の水平方向に沿って配置されている。
【００２５】
更に、筐体２０の誘虫灯１５の近傍には、誘虫灯１５により誘引された虫１を吸引するための、吸引口が設けられている。この実施形態では、図１に示すように、凹所２６を構成する内側壁２７の上方側に、誘虫灯１５の長さ方向に沿って伸びるスリット状をなした第１開口３１が形成されていると共に、棚壁２８の奥側（内側壁２７との境界側）に、同じく誘虫灯１５の長さ方向に沿って伸びるスリット状をなした第２開口３２が形成されている。
【００２６】
また、図１に示すように、凹所２６を構成する内側壁２７や棚壁２８の、前面側であって、前記複数の誘虫灯１５の背面側には、略Ｌ字状に屈曲形成された反射板７５が設置されるようになっている。この反射板７５の上方側及び下方側であって、前記第１開口３１や第２開口３２に整合する位置には、複数の小開口７６が形成されている。反射板７５としては、外面側が鏡面又はそれに近い反射率をなす板が好ましく使用され、その材質は問わない。
【００２７】
更に、筐体２０の前面側であって、前記凹所２６の下方には、後述する通気路（第１通気路５１，第２通気路５２）の、筐体２０内の排出口５５（図３参照）を囲む減圧室３３が設けられている。図１及び図４に示すように、この減圧室３３は、上下左右及び奥方に配置された複数の仕切壁で仕切られて、前面側が開口した箱状をなしている。そして、前面側は、前カバー７０を閉じたとき、図示しないパッキンを介して、前カバー７０によって封止されるようになっている。各仕切壁の中で、上方側に配置された仕切壁３４ａは、前記棚壁２８の下方に所定間隔をあけて平行に配置されていると共に、通気路の排出口５５に連通する開口を有しており、この開口を通して排出口５５が減圧室３３内に連通している（図３参照）。
【００２８】
また、減圧室３３の、奥側の仕切壁３４ｂには、複数の円形孔３５ａが形成されており（図４参照）、各円形孔３５ａに吸引ファン３５がそれぞれ取付けられている（図７参照）。この吸引ファン３５は電源６９に接続されており（図２参照）、減圧室３３内の空気を吸引して、筐体２０の外部に排気する。なお、この吸引ファン３５は、捕獲フィルタ１７の交換作業時を除いて、常時作動して減圧室３３内の空気を吸引しており、捕獲フィルタ１７内において捕獲した虫１が、捕獲フィルタ１７の外部に逃げるのを防止できるようになっている。
【００２９】
なお、筐体の形状や内部構造は、上記筐体２０の形状や内部構造に限定されるものではなく、少なくとも誘虫灯を装着可能であって、減圧室や、吸引口、通気路を有しており、吸引ファンを設置可能であればよい。
【００３０】
一方、上記の吸引口に連通する通気路は、この実施形態の場合、図１、図３及び図５に示すような、通気路形成部材４０によって形成されるようになっている。
【００３１】
この通気路形成部材４０は、上辺側が長く下辺側が短い略台形状をなした背面壁４３と、該背面壁４３の周縁から前面側に向けて立設した複数の側壁４５とからなる、下方側及び前面側が開口した、略台形状の薄肉箱状をなした第１通気路形成部４１を有している。また、通気路形成部材４０は、上方及び下方にスリット状をなした開口が形成されると共に、下方に向かって次第に通気面積が狭まるように縮径した先細枠状をなした第２通気路形成部４７を有している。
【００３２】
この第２通気路形成部４７の、背面側の仕切壁４８（図３参照）が、上記第１通気路形成部４１の下方側前面に固定されることで、第１通気路形成部４１と第２通気路形成部４７とが一体的に連結された、通気路形成部材４０が構成されている。
【００３３】
また、第１通気路形成部４１の側壁４５の折曲部４５ａを介して、第１通気路形成部４１が、凹所２６の内側壁２７の背面側に配置固定されると共に、第２通気路形成部４７の上方の折曲端部４９を介して、第２通気路形成部４７が、凹所２６の棚壁２８の下面側及び減圧室３３の仕切壁３４ａの上方側に配置固定される（図３参照）。その結果、図３に示すように、第１通気路形成部４１の上方側が、吸引口の第１開口３１に連通して、同第１開口３１を囲む第１通気路５１が形成され、第２通気路形成部４１のスリット状の上方開口が、吸引口の第２開口３２に連通して、同第２開口３２を囲む第２通気路５２が形成されるようになっている。
【００３４】
また、図３に示すように、第１通気路５１の出口側及び第２通気路５２の出口側は、前記仕切壁４８を介して区分けされているが、第１通気路５１の出口側は、減圧室３３の仕切壁３４ａに設けた排出口５５に連通し、第２通気路５２の出口側も、同仕切壁３４ａの排出口５５に連通して、第１通気路５１及び第２通気路５２の出口が集合されており、この出口が集合した部分が、通気路の排出口５５をなしている。
【００３５】
なお、通気路を構成するための構造としては、上記態様に限定されるものではなく、少なくとも吸引口に連通すると共に、排出口を構成可能な構造であれば、特に限定はされない。
【００３６】
また、第１通気路形成部４１の上方側であって、その長手方向一端部に配置された一方の側壁４５の外側に、ボルトを介してセンサ６０の投光部６１が固定され、長手方向他端部に配置された他方の側壁４５の外側に、ボルトを介してセンサ６０の受光部６３が固定されている。更に、第２通気路形成部４７の、スリット状をなした上方開口の長手方向一端部に配置された一方の壁部５０に、ボルトを介してセンサ６０の投光部６１が固定され、長手方向他端部に配置された他方の壁部５０に、ボルトを介してセンサ６０の受光部６３が固定されている。したがって、投光部６１及び受光部６３からなるセンサ６０は、第１通気路５１の第１開口３１に近接した部分と、第２通気路５２の第２開口３２に近接した部分との、２箇所に設けられている。また、各センサ６０の投光部６１の投光部分６１ａと、受光部６３の受光部分６３ａとが、第１通気路形成部４１の側壁４５に設けた貫通孔４５ｂや、第２通気路形成部４７の壁部５０に設けた貫通孔５０ａを介して、第１開口３１や第２開口３２に隣接する領域に向くように配置されて、第１開口３１や第２開口３２に隣接する領域に光Ｌが照射されるようになっている。
【００３７】
更に、この実施形態では、一方のセンサ６０の、投光部６１及び受光部６３は、第１通気路５１の第１開口３１に隣接する部分であって、スリット状をなした第１開口３１の長さ方向両端部に配置され、他方のセンサ６０の、投光部６１及び受光部６３は、第２通気路５１の第２開口３２に隣接する部分であって、スリット状をなした第２開口３２の長さ方向両端部に配置されるようになっている。
【００３８】
なお、センサ６０は、第１通気路５１及び第２通気路５２の第１開口３１及び第２開口３２に隣接する部分に設けることが最も好ましいが、それぞれの通気路５１．５２の吸引口（第１開口３１に連通する小開口７６及び第２開口３２に連通する小開口７６）側に設けられていればよい。ここで、吸引口側とは、各通気路５１，５２の吸引口（第１開口３１に連通する小開口７６及び第２開口３２に連通する小開口７６）から排出口５５に至る経路の中間地点よりも、吸引口側の領域を意味する。
【００３９】
なお、本発明において、吸引口の形状や配置個数は、上記態様に限定されるものではない。例えば、この実施形態では、内側壁２７に設けられた第１開口３１、及び棚壁２８に設けられた第２開口３２がそれぞれ１つずつであるが、複数設けてもよい。また、センサは、通気路５１，５２のぞれぞれに、一対の投光部６１及び受光部６３からなる１つの光電センサが設けられているが、各通気路に一対の投光部及び受光部からなるセンサを複数対ずつ配置してもよく、特に限定はない。
【００４０】
また、図２に示すように、センサ６０は、虫１が通気路を通過することにより、投光部６１から受光部６３への光を遮った回数をカウントする、カウンター６５に接続されている。このカウンター６５には外部メモリ６７が着脱可能に装着され、通気路を通る虫１の積算数のログが保存される。なお、この外部メモリ６７は、捕獲フィルタ１７の交換時に回収可能となっている。
【００４１】
次に、捕獲フィルタ１７やその取付構造について説明する。
【００４２】
この実施形態における捕獲フィルタ１７は、所定寸法のメッシュで形成された袋状をなしており、上記通気路の排出口５５に取付けられて、減圧室３３内に配置される。また、図７及び図８に示すように、通気路の排出口５５の出口側周縁には、着脱可能な枠状部材８０が取付けられるようになっている。
【００４３】
図８に示すように、この実施形態の枠状部材８０は、細長い長方形の枠状をなし、その表面側には、薄板状をなした磁石プレート８１が複数固着されている。そして、これらの磁石プレート８１によって、減圧室３３の仕切壁３４ａの開口の表側周縁に、枠状部材８０が着脱可能に取付けられ、その結果、同仕切壁３４ａの開口に連通する、通気路の排出口５５の出口側周縁に、仕切壁３４ａを介して枠状部材８０が取付けられるようになっている（図３及び図７参照）。
【００４４】
また、上記枠状部材８０には、捕獲フィルタ１７の開口縁部が着脱可能に装着できるようになっている。この実施形態では、枠状部材８０の裏面側と、捕獲フィルタ１７の開口縁部の外面とに、面ファスナー等の着脱手段が固着されており、同着脱手段を介して、捕獲フィルタ１７の開口縁部が、枠状部材８０の裏面側の開口縁部に着脱可能に装着できるようになっている。
【００４５】
更に図８に示すように、上記枠状部材８０には、捕獲フィルタ１７が吸引ファン３５に貼り付くのを防止するための支持具８５が設けられている。支持具８５は、この実施形態では、全体としてＬ字状をなす金属線材からなり、枠状部材３０の裏面両側に取付けられて、枠状部材３０の前面の両側から垂下するように延出された一対の支持具８５，８５で構成されている。また、各支持具８５の下端部は、略フック状に屈曲した形状をなしている。そして、各支持具８５の下端部を、捕獲フィルタ１７の外周に設けた、引掛け部１８にそれぞれ引き掛けることで、捕獲フィルタ１７が支持されて、減圧室３３の背面側に配置された吸引ファン３５への貼り付きが防止されるようになっている。
【００４６】
次に、上記構造からなる捕虫器１０の作用効果について説明する。
【００４７】
この捕虫器１０は、例えば、工場や倉庫、店舗等に設置されるが、虫１を捕獲する必要がある場所であれば、その設置箇所は特に限定されない。また、この捕虫器１０においては、吸引ファン３５は、捕獲フィルタ１７の交換作業時を除いて、常時作動して減圧室３３内の空気を吸引しているので、捕獲フィルタ１７や通気路の排出口５５を介して、第１通気路５１や第２通気路５２内が吸引され、その結果、吸引口を構成する第１開口３１や第２開口３２に、通気路内方に向けて吸引力が付与されるようになっている。また、センサ６０の投光部６１から光Ｌ（レーザー）が投光されて、受光部６３により受光された状態となっている。
【００４８】
上記状態で、図２に示すように、誘虫灯１５に誘引された虫１が、第１開口３１又は第２開口３２からなる吸引口に近づくと、第１開口３１や第２開口３２から吸引されて、第１通気路５１や第２通気路５２内に吸い込まれる。その後、虫１は、各通気路５１，５２の出口が集合した排出口５５から排出されて、枠状部材８０の開口を介して、減圧室３３内に配置された捕獲フィルタ１７内に捕獲される（図２及び図３参照）。
【００４９】
そして、吸引口である第１開口３１や第２開口３２から虫１が吸引されて、通気路内に吸い込まれるときに、投光部６１から投光された光Ｌが遮断されるので、受光部６３によって虫１の通過が検出されて、カウンター６５に記録される。
【００５０】
このように、この捕虫器１０においては、第１開口３１や第２開口等の吸引口から、各通気路５１，５２を通るときに、通気路の吸引口側に配置されたセンサ６０によって虫が検出されるので、どの程度の数の虫１が通過したかを把握することができる。そのため、捕獲フィルタ１７の交換が必要かどうかを判断することができる。
【００５１】
なお、この実施形態においては、カウンター６５に外部メモリ６７が装着されているので、この外部メモリ６７を取外して、その虫１の積算数を解析することで、捕獲フィルタ１７の交換時期の目安を推察することができる。
【００５２】
そして、この捕虫器１０においては、上述したように、センサ６０は、各通気路５１，５２の吸引口側（第１開口３１，第２開口３２側）に配置されているので、センサ６０を通過した虫１が再び吸引口側に戻ってきて、再度検出されてしまう可能性を低減することができる。また、各通気路５１，５２の吸引口側にセンサ６０が配置されているため、通気路の排出口の近傍にセンサ６０を配置した場合に比べて、センサ６０の近傍に虫１が溜まりにくいので、センサ６０に虫１が貼り付いてしまって、センサ６０の感度が低下することを防ぐことができる。
【００５３】
また、この実施形態においては、センサ６０は、各通気路５１，５２の吸引口（第１開口３１，第２開口３２）に隣接する部分であって、スリット状をなした第１開口３１，３２の長さ方向両端部に配置された投光部６１及び受光部６３からなる光電センサで構成されている（図２及び図５参照）。そのため、誘虫灯１５に近接した位置に、吸引口をできるだけ広い幅で配置することができると共に、吸引口から吸引された虫１を吸引口のすぐ近くで検出できるので、センサ６０を通過した虫１が再び吸引口側に戻ってきて、再度検出されてしまう可能性を更に低減することができる。
【００５４】
更にこの実施形態においては、吸引口が第１開口３１と第２開口３２とで構成され、通気路は、第１開口３１に連通して、内側壁２７の背面側に配置された第１通気路５１と、第２開口３２に連通して、棚壁２８の下方に形成された第２通気路５２とを含み、第１通気路５１及び第２通気路５２の出口が集合されて排出口５５をなし、センサ６０は、第１通気路５１の第１開口３１に近接した部分と、第２通気路５２の第２開口３２に近接した部分との２箇所に設けられた構造をなしている（図２、図３及び図５参照）ので、次のような作用効果がもたらされる。
【００５５】
すなわち、誘虫灯１５に近づいてくる虫は、誘虫灯１５の周りでそのまま飛行を続ける場合もあるし、誘虫灯１５の近くで失速して落下する場合もある。この場合、この実施形態の捕虫器１０においては、上記のような構造を採用したことにより、誘虫灯１５の周りでそのまま飛行を続ける虫は、凹所２６の内側壁２７に設けられた第１開口３１に近づくとそこから吸引されて捕捉され、誘虫灯１５の近くで失速して落下する虫は、凹所２６の棚壁２８に設けられた第２開口３２から吸引されて捕捉されるので、誘虫灯１５に近づいてくる虫を効率良く捕捉することができる。また、第１通気路５１は、内側壁２７の背面側を通って排出口５５に至り、第２通気路５２は、棚壁２８の下方に抜けて排出口５５に至るので、通気抵抗を少なくして、両方の通気路５１，５２を１箇所の排出口５５に集合させることができる（図３参照）。
【００５６】
また、この実施形態においては、図７及び図８に示すように、排出口５５の出口側周縁には、着脱可能な枠状部材８０が取付けられ、この枠状部材８０には、捕獲フィルタ１７の開口縁部が着脱可能に装着できるようになっている。そのため、捕獲フィルタ１７の交換の際に、捕虫器１０から、枠状部材８０ごと、捕獲フィルタ１７を取り外して、枠状部材８０に対して捕獲フィルタ１７を交換し、次いで、枠状部材９０を排出口５５の出口周縁に取付けることができるので、捕獲フィルタ１７の交換作業を捕虫器１０から離れた場所で行うことができ、作業性が良好となる。
【００５７】
更にこの実施形態においては、図８に示すように、枠状部材８０には、捕獲フィルタ１７が吸引ファン３５に貼り付くのを防止するための支持具８５が設けられているので、捕虫器１０のコンパクト化のため、捕獲フィルタ１７に近接して吸引ファン３５が配置されている場合でも、捕獲フィルタ１７が吸引ファン３５に貼り付いて吸引力が低下するのを防止することができる。
【００５８】
なお、本発明は、上述した実施形態に限定されるものではなく、本発明の要旨の範囲内で、各種の変形実施形態が可能であり、そのような実施形態も本発明の範囲に含まれる。
【符号の説明】
【００５９】
１０  捕虫器
１５  誘虫灯
１７  捕獲フィルタ
１８  引掛け部
２０  筐体
２１  側壁
２２  天井壁
２３  底壁
２４  前壁
２４ａ  最前部
２５  後壁
２６  凹所
２７  内側壁
２８  棚壁
３０  枠状部材
３１  第１開口
３２  第２開口
３３  減圧室
３４ａ，３４ｂ  仕切壁
３５  吸引ファン
３５ａ  円形孔
４０  通気路形成部材
４１  第１通気路形成部
４３  背面壁
４５  側壁
４５ａ  折曲部
４７  第２通気路形成部
４８  仕切壁
４９  折曲端部
５０  壁部
５１  第１通気路
５２  第２通気路
５５  排出口
６０  センサ
６１  投光部
６３  受光部
６５  カウンター
６７  外部メモリ
７０  前カバー
７１  窓部
７５  反射板
７６  小開口
８０  枠状部材
８１  磁石プレート
８５  支持具
９０  枠状部材
【図１】
0006375333.tif 000002
【図２】
0006375333.tif 000003
【図３】
0006375333.tif 000004
【図４】
0006375333.tif 000005
【図５】
0006375333.tif 000006
【図６】
0006375333.tif 000007
【図７】
0006375333.tif 000008
【図８】
0006375333.tif 000009